(57)【要約】【課題】信号処理のため、雑音を削減するためにオーバーサンプリング動作を利用できる慣性位置決め装置用の信号処理方法を提供すること。【解決手段】加速信号を取得するステップと、加速信号をフィルタリングするために第一のフィルタリングプロセスによってフィルタリング信号を形成するステップと、処理された信号を形成するために第二のフィルタリングプロセスを処理するステップとを備える、位置決め装置から発生する感知可能信号を信号処理する方法。【選択図】図１
2008123485.tif 000002
【特許請求の範囲】
【請求項１】
位置決め装置によって発生する信号を処理するために適応される信号処理方法であって、
位置決め装置から加速信号を取得するステップと、
第一のフィルタリングプロセスで加速信号をフィルタリングすることによってフィルタリング信号を形成するステップと、
フィルタリング信号をデジタル信号に変換するステップと、
処理された信号を形成するために第二のフィルタリングプロセスでデジタル信号を処理するステップと、
を備える信号処理方法。
【請求項２】
第二のフィルタリングプロセスが、
複数のサンプリングされた信号を取得するためのデジタル信号をオーバーサンプリングするステップと、
処理された信号を取得するために複数のサンプリング信号を平均化するステップと、
をさらに備える請求項１に記載の信号処理方法。
【請求項３】
第二のフィルタリングプロセスが、
複数のサンプリングされた信号を取得するためにデジタル信号をオーバーサンプリングするステップと、
複数のスペクトル信号を相応して形成するために、複数のサンプリングされた信号でフーリエ変換を実行するステップと、
逆フーリエ変換によって複数のフィルタリングされたスペクトル信号を、処理された信号に変換する一方で、複数のスペクトル信号をフィルタリングするステップと、
をさらに備える請求項１に記載の信号処理方法。
【請求項４】
処理された信号を変位信号に変換するステップと、
変位信号を電気装置に送信するステップと、
をさらに備える請求項１に記載の信号処理方法。
【請求項５】
電気装置がゲームコンソールと、コンピュータとからなるグループから選択される装置である請求項４に記載の信号処理方法。
【請求項６】
フィルタリング信号の変換することが、さらに
差動増幅信号を形成するためにフィルタリング信号の特定の部分をフェッチし、増幅するステップと、
デジタル信号を形成するための差動増幅信号でデジタル変換を実行するステップと、
をさらに備える請求項１に記載の信号処理装置。
【請求項７】
慣性検知モジュールから加速信号を受信し、処理するための信号処理装置であって、
フィルタリングされた信号を形成するために受信された加速信号で第一の雑音フィルタリングプロセスを実行するためのフィルタと、
フィルタリングされた信号を受信し、デジタル信号に変換するためのフィルタに結合されるアナログ／デジタル変換器と、
処理された信号を形成するために、デジタル信号を受信し、デジタル信号上で第二の雑音フィルタリングプロセスを実行できるようにするためにアナログ／デジタル変換器に結合されるポストプロセッサと、
を備える慣性検知モジュールから加速信号を受信し、処理するための信号処理装置。
【請求項８】
フィルタがマルチレベルアクティブ低域通過フィルタである請求項７に記載の信号処理装置。
【請求項９】
ポストプロセッサが、
複数のサンプリングされた信号を形成するためにデジタル信号をオーバーサンプリングできるオーバーサンプリング装置と、
処理された信号を相応して形成するために、複数のサンプリングされた信号を受信し、平均化することができる算術論理装置と、
をさらに備える請求項７に記載の信号処理装置。
【請求項１０】
ポストプロセッサがさらに、
複数のサンプリングされた信号を形成するためにデジタル信号をオーバーサンプリングできるオーバーサンプリング装置と、
複数のスペクトル信号を形成してからフィルタリングし、複数のスペクトル信号を逆フーリエ変換によって処理された信号に変換するために、複数のサンプリングされた信号を受信し、フーリエ変換することができる算術論理装置と、
をさらに備える請求項７に記載の信号処理装置。
【請求項１１】
フィルタ及びアナログ／デジタル変換器に結合されている差動増幅器と、
をさらに備える請求項７に記載の信号処理装置。
【請求項１２】
慣性位置決め装置の運動を検知し、このようにして少なくとも一つの加速信号を相応して発生できる慣性検知モジュールと、
慣性検知モジュールに結合される信号処理装置と、
処理信号を受信し、変位信号に変換できるようにするために信号処理装置に結合されているインタフェースモジュールと、
変位信号を受信し、電気装置に送信できるようにするためにインタフェースモジュールに結合される伝送モジュールと、
を備え、信号処理装置が、さらに、
フィルタリング信号を形成するために少なくとも一つの加速信号をフィルタリングするためのフィルタと、
フィルタリング信号を受信し、デジタル信号に変換できるようにするためにフィルタに結合されるアナログ／デジタル変換器と、
処理された信号を形成するためにデジタル信号を受信し、デジタル信号で雑音フィルタリングプロセスを実行できるようにするためにアナログ／デジタル変換器に結合されるポストプロセッサと、
を備える慣性位置決め装置。
【請求項１３】
フィルタがマルチレベルアクティブ低域通過フィルタである請求項１２に記載の慣性位置決め装置。
【請求項１４】
ポストプロセッサが、
複数のサンプリングされた信号を形成するためにデジタル信号をオーバーサンプリングできるオーバーサンプリング装置と、
処理された信号を相応して形成するために複数のサンプリングされた信号を受信し、平均化することができる算術論理装置と、
をさらに備える請求項１２に記載の慣性位置決め装置。
【請求項１５】
ポストプロセッサが、
複数のサンプリングされた信号を形成するためにデジタル信号をオーバーサンプリングできるオーバーサンプリング装置と、
複数のスペクトル信号を形成してからフィルタリングし、複数のスペクトル信号を逆フーリエ変換で処理された信号に変換するために、複数のサンプリングされた信号を受信し、フーリエ変換できる算術論理装置と、
をさらに備える請求項１２に記載の慣性位置決め装置。
【請求項１６】
フィルタと、アナログ／デジタル変換器に結合される差動増幅器と、
をさらに備える請求項１２に記載の慣性位置決め装置。
【請求項１７】
慣性検知モジュールが少なくとも加速度計をさらに備える請求項１２に記載の慣性位置決め装置。
【請求項１８】
慣性検知モジュールが少なくとも一つのジャイロスコープをさらに備える請求項１２に記載の慣性位置決め装置。
【請求項１９】
伝送モジュールが、有線伝送モジュールと無線伝送モジュールからなるグループから選択される構成要素である請求項１２に記載の慣性位置決め装置。
【請求項２０】
電気装置がゲームコンソールと、コンピュータとからなるグループから選択される装置である請求項１２に記載の慣性位置決め装置。
【発明の詳細な説明】
【技術分野】
【０００１】
本発明は信号処理方法及び装置に関し、さらに詳細には信号処理のためにオーバーサンプリング動作を利用し、このようにしてそれによって発生する雑音を削減することができる慣性位置決め装置に関する。
【背景技術】
【０００２】
現在市場で入手できる、コンピュータによりカーソル制御装置として使用されている最も人気のあるヒューマンマシンインタフェースである、多くの種類のコンピュータマウスがある。機械式マウス、ＬＥＤ光マウス、及びレーザマウスという異なる検出手段に対する三種類の基本的なタイプのマウスがある。
典型的な機械式マウスは、ボールが入ったケースを備え、ボールの一部はケースの下側を通って突出している。ユーザが平らな表面でマウスを動かすと、ボールが回転し、ケースの中に装置されているセンサによって検出される。残念なことに、このようなマウスの移動部分は汚れやすく、センサがボール回転を誤って測定する原因となる。
典型的なＬＥＤ光マウスは、相補型金属酸化膜半導体（ＣＭＯＳ）センサの上に、十分な粗度の表面で光を跳ね返す小さな赤い発光ダイオード（ＬＥＤ）を有する。ＣＭＯＳセンサは分析のためにデジタル信号プロセッサ（ＤＳＰ）に各画像を送信し、ＤＳＰは画像において表面の粗度によって生じる陰影のパターンを検出し、前回の画像の後にそれらのパターンがどのように移動したのかを確かめることができる。
ＤＳＰは一連の画像上のパターンの変化に基づいて、マウスがどのくらい遠くまで移動したのかを判断し、対応する座標をコンピュータに送信する。しかしながら、ＬＥＤ光マウスの作業面が大理石、タイルまたは金属等から作られる滑らかな表面である場合には、このようなマウスがスムーズに動作できない可能性がある。レーザマウスは、標準的なＬＥＤをベースにした光マウスよりもさらに多くの表面パターンの変形を検出するためにコヒーレント光を発することができる高度光マウスである。それにも関わらず、このようなレーザマウスはガラス、アクリル等から作られる透明な表面上で動作する間は流れるように動作できない。
【発明の開示】
【発明が解決しようとする課題】
【０００３】
大部分の従来のコンピュータマウスは前述されたように不利であるため、平らな表面上にある間、あるいは自由空間に保持されている間に動作する位置決め装置の移動を検出し、測定するために慣性検知モジュールを使用するための位置決め装置の内部に、慣性検知モジュールが埋め込まれているのが一般的である。
しかしながら、統合動作は、慣性検知モジュールが、表示装置上に表示されているカーソルの移動を制御するため、表面上にある間に動作する位置決め装置の変位を検出し、測定するためにそれが使用されているとき、慣性検知モジュールによって実行される。そのため、変位に対応する特定の雑音は、表示装置でカーソルを正確に制御、移動する困難を引き起こす統合動作によって増幅される。
すでに雑音問題を解決するために進展されたいくつかの研究がある。その中の一つは、ＴＷ特許番号第０５１９２６３号に開示されている慣性位置決め装置である。
前記慣性位置決め装置は慣性位置決め装置の加速を決定するために加速度計を使用し、次に加速信号に対応する雑音が排除でき、カーソルの制御が改善されるように、検出された加速の信号を処理するために調整可能なデジタル低域通過フィルタを使用する。
しかしながら、低域通過フィルタによって実行されるデジタルフィルタリングは高サンプリング周波数を必要とするため、慣性位置決め装置を保持するユーザはアナログフィルタリングを使用することによって感じられない反応が遅い感じを経験する。
加えて、デジタル低域通過フィルタによって必要とされ、膨大な量の生成される係数及び数値を記憶するために、大量のメモリが必要とされ、慣性位置決め装置のコスト及び負荷が増加する。
【０００４】
したがって、必要とされ、有用となるであろうことは、前述された問題からアナログフィルタリングを使用して位置決め装置を解放できる信号処理方法及び装置である。
【０００５】
信号処理のため、従って雑音を削減するためにオーバーサンプリング動作を利用できる慣性位置決め装置用の信号処理方法及び装置を提供することが、本発明の第一の目的である。
【０００６】
本発明の別の目的は、必要とされるそのサンプリング周波数、及びしたがって必要とされるメモリが、アナログフィルタリング手段の採用のために削減でき、したがって慣性位置決め装置の電力消費が結果的に削減される、慣性位置決め装置用の信号処理方法及び装置を提供することである。
【０００７】
本発明のさらに別の目的は、それらの従来の位置決め装置によって使用されるデジタルフィルタリングにより引き起こされる反応が遅いという問題から解放できるようにするため、したがって慣性位置決め装置が瞬時の反応を有することができるようにするために、アナログフィルタリング手段が採用される、慣性位置決め装置用の信号処理方法及び装置を提供することである。
【課題を解決するための手段】
【０００８】
前記目的を達成するために、本発明は、位置決め装置から加速信号を取得するステップと、第一のフィルタリングプロセスで加速信号をフィルタリングすることによってフィルタリング信号を形成するステップと、フィルタリング信号をデジタル信号に変換するステップと、処理された信号を形成するために第二のフィルタリングプロセスでデジタル信号を処理するステップとを備える、位置決め装置によって発生する信号を処理するために適応された信号処理方法を提供する。
【０００９】
好ましい態様では、第二のフィルタリングプロセスは、複数のサンプリングされた信号を取得するためのデジタル信号をオーバーサンプリングするステップと、処理された信号を取得するために複数のサンプリングされた信号を平均化するステップとをさらに備える。
【００１０】
別の好ましい態様では、第二のフィルタリングプロセスは、複数のサンプリングされた信号を取得するためにデジタル信号をオーバーサンプリングするステップと、複数のスペクトル信号を相応して形成するために複数のサンプリングされた信号でフーリエ変換を実行するステップと、逆フーリエ変換によって処理された信号に複数のフィルタリングされたスペクトル信号を変換する一方で複数のスペクトル信号をフィルタリングするステップとをさらに備える。
【００１１】
好ましくは、信号プロセス方法は、処理された信号を変位信号に変換するステップと、変位信号を電気装置に送信するステップとを備える。
【００１２】
好ましくは、フィルタリング信号を変換することは、差動増幅信号を形成するためにフィルタリング信号の特定の部分をフェッチし、増幅するステップと、デジタル信号を形成するために差動増幅信号でデジタル変換を実行するステップとをさらに備える。
【００１３】
さらに、前記目的を達成するため、本発明は、フィルタリング信号を形成するために受信された加速信号で第一の雑音フィルタリングプロセスを実行するためのフィルタと、フィルタリング信号を受信し、デジタル信号に変換できるようにするためにフィルタに結合されているアナログ／デジタル変換器と、処理された信号を形成するためにデジタル信号を受信し、デジタル信号の上で第二の雑音フィルタリングプロセスを実行できるようにするためにアナログ／デジタル変換器に結合されるポストプロセッサとを備える、慣性検知モジュールから加速信号を受信し、処理するための信号処理装置をさらに提供する。
【００１４】
好適実施形態では、本発明は、慣性位置決め装置の動きを検知し、このようにして少なくとも加速信号を相応して発生させることができる慣性検知モジュールと、慣性検知モジュールに結合される信号処理装置と、処理された信号を受信し、変位信号に変換できるようにするための信号処理装置に結合されるインタフェースモジュールと、変位信号を受信し、電気装置に送信できるようにするためのインタフェースモジュールに結合される伝送モジュールとを備える慣性位置決め装置を提供し、信号処理装置が、さらに、フィルタリング信号を形成するために少なくとも一つの加速信号をフィルタリングするためのフィルタと、フィルタリング信号を受信し、デジタル信号に変換できるようにするためにフィルタに結合されるアナログ／デジタル変換器と、処理された信号を形成するためにデジタル信号を受信し、デジタル信号で雑音フィルタリング処理を実行できるようにするためにアナログ／デジタル変換器に結合されるポストプロセッサとをさらに備える。
【００１５】
好ましくは、フィルタがマルチレベルアクティブ低域通過フィルタである。
【００１６】
好ましくは、ポストプロセッサが、複数のサンプリングされた信号を形成するためにデジタル信号をオーバーサンプリングできるオーバーサンプル装置と、処理された信号を相応して形成するために複数のサンプリングされた信号を受信し、平均化することができる算術論理装置とをさらに備える。
【００１７】
別の好ましい態様では、ポストプロセッサが、複数のサンプリングされた信号を形成するためにデジタル信号をオーバーサンプリングできるオーバーサンプリング装置と、複数のサンプリングされた信号を受信し、フーリエ変換し、複数のスペクトル信号を形成してから、複数のスペクトル信号をフィルタリングし、逆フーリエ変換によって複数のスペクトル信号を変換することができる算術論理装置とをさらに備える。
【００１８】
好ましくは、慣性位置決め装置は、フィルタ及びアナログ／デジタル変換器に結合される差動増幅器をさらに備える。
【００１９】
好ましくは、慣性位置決め装置は、少なくとも1台の加速度計、少なくとも一つのジャイロスコープまたは前述されたパーツのアセンブリをさらに備える。
【００２０】
好ましくは、伝送モジュールは有線伝送モジュールと無線伝送モジュールからなるグループから選択される構成要素である。
【００２１】
好ましくは、電気装置はゲームコンソール及びコンピュータからなるグループから選択される装置である。
【００２２】
本発明の他の態様及び優位点は、本発明の原則を例証として描く、添付図面と関連して採取される以下の詳細な説明から明らかになるであろう。
【発明を実施するための最良の形態】
【００２３】
検討委員会の総計する会員が本発明の達成された機能及び構造上の特徴をさらに理解し、認識するために、詳細な説明と連携するいくつかの好ましい実施形態は以下のように提示される。
【００２４】
本発明の好適実施形態による信号処理方法のステップを描くフローチャートである図１を参照する。
信号処理方法は位置決め装置によって発生する少なくとも一つの加速信号を処理し、このようにして電気装置のディスプレイに表示されるカーソルが相応して移動できるようにするために適応される。
信号処理方法はステップ１０で開始する。
ステップ１０では、位置決め装置から発生する加速信号が取得され、次に流れはステップ１１に進む。
ステップ１１では、加速信号はフィルタリング信号を形成するための雑音フィルタリングの第一のフィルタリングプロセスによってフィルタリングされ、次に流れはステップ１２に進む。
ステップ１２では、フィルタリング信号は、デジタル信号を形成するために変換、デジタル化され、それから流れはステップ１３に進む。
【００２５】
好適実施形態では、デジタル信号へのフィルタリング信号の変換は、図２Ａに示されているように、さらに二つのステップから構成される。
図２Ａでは、変換はステップ１２０で開始する。
ステップ１２０では、フィルタリング信号のある特定の部分が、差動増幅信号を形成するためにフェッチされ、増幅され、次に流れはステップ１２１に進む。
ステップ１２１では、差動増幅信号がアナログ／デジタル変換器によってデジタル信号に変換される。
【００２６】
図１のステップ１３に戻る。
ステップ１３では、デジタル信号が処理された信号を形成するために第二のフィルタリングプロセスによって処理されてから、ステップ１４に進む。
第一のフィルタリングプロセスはそれらの高周波の雑音をフィルタリングすることを目的としているので、したがって、わずかに低い周波数の特定の雑音が見逃されるため、ステップ１３の目的はステップ１１の第一のフィルタリングプロセスによってフィルタリングできない雑音を除去することであることが留意される。
したがって、第二のフィルタリングプロセスはオーバーサンプリングによってそれらの雑音の強度を削減するために実行される。
本発明の好適実施形態の信号処理方法で使用される第二のフィルタリングプロセスのステップを描く図３Ａを参照する。
図３Ａでは、第二のフィルタリングプロセスがステップ１３０ａで開始する。
ステップ１３０ａでは、デジタル信号が複数のサンプリングされる信号を取得するためにオーバーサンプリングされ、それから流れがステップ１３１ａに進む。
ステップ１３１ａでは、複数のサンプリングされた信号が平均化される、あるいは処理された信号を獲得している。
【００２７】
さらに、本発明の別の好適実施形態による、信号処理方法で使用される別の第二のフィルタリングプロセスが図３Ｂに描かれている。
図３Ｂでは、第二のフィルタリングプロセスはステップ１３０ｂで開始する。
ステップ１３０ｂでは、デジタル信号は複数のサンプリングされた信号を取得するためにオーバーサンプリングされ、次に流れはステップ１３１ｂに進む。
ステップ１３１ｂでは、フーリエ変換は相応して複数のスペクトル信号を形成するために複数のサンプリングされた信号で実行され、次に流れはステップ１３１ｃに進む。
ステップ１３１ｃでは、逆フーリエ変換によって処理された信号に変換される一方、複数のスペクトル信号はフィルタリングされる。
【００２８】
図１のステップ１４に戻る。
ステップ１４では、処理された信号は変位信号に変換され、それから流れはステップ１５に進む。
ステップ１５では、電気装置はゲームコンソールまたはコンピュータ等である場合があるのに対し、変位信号は電気装置に送信される。
【００２９】
本発明の好適実施形態による信号処理装置を示す概略図である、図４Ａを参照する。
図４の信号処理装置２１はフィルタ２１０と、差動増幅器２１１と、アナログ／デジタル変換器２１２と、ポストプロセッサ２１３とを備え、フィルタ２１０はフィルタリング信号を形成するために加速信号の雑音を取り除くために使用される。
この好ましい実施形態では、フィルタはアナログマルチレベルのアクティブ低域通過フィルタであり、必要とされるサンプリング周波数及び必要とされるメモリは、それらの従来の技術の位置決め装置で実行される従来のデジタルフィルタリングと比較して、アナログフィルタリング手段がそれによって採用されるので削減することができ、したがって慣性位置決め装置の電力消費はその結果削減される。
したがって、非常に高いサンプリング周波数のデジタルフィルタリングにより引き起こされる従来の位置決め装置の反応が遅い感覚は、本発明の信号処理装置で実行されるアナログフィルタリングを使用することによって回避できる。
加えて、従来のデジタル低域通過フィルタによって生じる膨大な量の係数及び数値を記憶するために必要とされる大量のメモリは、対応する慣性位置決め装置のコスト及び負荷が削減できるようにもはや必要とされない。
本発明の信号処理装置によって発生する作動増幅信号を示す概略図である図５を参照する。
差動増幅器２１１は、フェッチされた信号９１を形成するためにフィルタリング信号９０の特定の部分をフェッチしてから、差動増幅信号９２を形成するためにフェッチされた信号９１を増幅するために使用される。
フェッチされた信号９１が本好適実施形態では１．６５倍、増幅されることが留意されるが、それはそれによって制限されず、したがってその対応するハードウェアに関して変えることができる。さらに、アナログ／デジタル変換器２１２は、差動増幅信号９２を受信し、デジタル信号に変換するために使用される。
【００３０】
加えて、ポストプロセッサ２１３は、デジタル信号上で雑音フィルタリング動作を実行し、このようにして処理された信号を相応して形成する一方で、デジタル信号を受信できるようにするためにアナログ／デジタル変換器２１２に結合される。
図４Ｂでは、ポストプロセッサ２１３はオーバーサンプリング装置２１３０と、算術論理装置２１３１からさらに構成されている。
オーバーサンプリング装置２１３０は、デジタル信号をオーバーサンプリングし、このようにして複数のサンプリングされた信号を形成するために使用される。
そして、算術論理装置２１３１はプロセス信号を形成するために複数のサンプリングされた信号を受信し、平均化するために使用される。
図４Ａに見られるように、処理された信号は、インタフェースモジュール２２及び無線伝送モジュール２３によって電気装置２４に送信される。
【００３１】
ポストプロセッサ２１３の目的は、第二の雑音フィルタリングプロセスをデジタル信号で実行できるようにすることであり、それによって対応する位置決め装置の制御感度及び精度を高めることができる。
加速信号は、マルチレベルアクティブフィルタによってフィルタリングされているが、フィルタリングされた加速信号に存在するなんらかの高周波雑音が依然として存在しているが、単に減衰されていることが公知である。
図６Ａでは、信号は１０ｍｓごとにサンプリングされるため、いくつかの高周波雑音９３はサンプリングされ、処理され、特定の誤解を引き起こす。
したがって、オーバーサンプリングの第二の雑音フィルタリングを可能にするためのポストプロセッサ２１３を使用することが必要とされる。
図６Ｂに示されている実施形態として、信号は１ｍｓごとにサンプリングされ、信号は１０サンプリング信号Ｄ１〜Ｄ１０を取得するために１０ｍｓごとに10回サンプリングされる。
その後、十個のサンプリングされた信号は、雑音を取り除き、処理された信号Ｄａｔａ１を取得するために平均化される。
【００３２】
別の好ましい実施形態では、ポストプロセッサ２１３の算術論理装置２１３１が、複数のスペクトル信号を形成してから、複数のスペクトル信号をフィルタリングし、処理された信号に逆フーリエ変換によって変換するために、複数のサンプリングされた信号を受信し、フーリエ変換することができる。
【００３３】
本発明の慣性位置決め装置を示す概略図である図７を参照する。
慣性位置決め装置３は、上部シェル３０１と下部シェル３０２から構成される中空の筐体３０を有する。収容空間が上部シェル３０１と下部シェル３０２の封入によって形成されると、収容空間は慣性位置決め装置３の必要な回路及び構成要素を受け入れることができる。
図７に見られるように、回路版のフロントエンドは慣性位置決め装置3のユーザによって押されるプレスキーと構成されているが、回路版３１は下部シェル３０２に装置される。
さらに、回路基盤は慣性検知モジュール３２、信号処理装置３３、インタフェースモジュール３４、及び伝送モジュール３５から構成される。
慣性感知モジュール３２が、慣性位置決め装置3で画定される少なくとも軸に関して加速を検出し、測定できる加速度計であるのに対し、慣性検知モジュール３２は、慣性位置決め装置３の運動を検知し、したがって少なくとも加速信号を相応して発生できる。
この好適実施形態では、慣性検知モジュール３２が、Ｘ座標及びＹ座標に関して加速を検出し、測定することができる加速度計である。
信号処理装置３３は、加速信号を処理し、このようにして処理された信号を相応して形成できるようにするために慣性検知モジュール３２に結合される。
信号処理装置は前述されたものとして構成され、したがって本書にさらに説明されないことが留意される。
【００３４】
インタフェースモジュール３４は、処理された信号を受信し、変位信号に変換できるようにするための信号処理装置３３に結合される。
伝送モジュール３５は、変位信号を受信し、電気装置に送信できるようにするためにインタフェースモジュール３４に結合されている。
伝送モジュール３５は無線伝送モジュールである場合、あるいはＵＳＢインタフェース等の伝送インタフェースに接続されているケーブルを通して電気装置に変位を送信できる有線伝送モジュールである場合があることが留意される。
電気装置がコンピュータである場合には、変位信号はコンピュータのディスプレイ上に表示されるカーソルの移動を制御するためのコンピュータによって活用される。電気装置がゲームコンソールである場合、変位信号は、相応して、及び対話的に動作あるいは移動するために、ゲームコンソール上でプレイするゲームの目的を制御するためのゲームコンソールによって活用される。
本発明の信号処理方法、及び図８の表に示されている従来技術の方法の結果として、オーバーサンプリング技法を用いる信号処理方法は、比較的より正確な処理結果を生じさせることができる。
【００３５】
本発明の好適実施形態は開示のために述べられてきたが、本発明の他の実施形態だけではなくその開示されている実施形態の変形も当業者の心に浮かんでよい。
したがって、添付請求項は、本発明の精神及び範囲から逸脱しないすべての実施形態を対象とすることを目的とする。
【図面の簡単な説明】
【００３６】
【図１】本発明の好適実施形態による信号処理方法のステップを描くフローチャートである。
【図２】本発明の好適実施形態による信号処理方法のデジタル変換ステップを描くフローチャートである。
【図３Ａ】本発明の好適実施形態による信号処理方法で使用される第二のフィルタリングプロセスのステップを描くフローチャートである。
【図３Ｂ】本発明の別の実施形態による信号処理方法で使用される第二のフィルタリングプロセスのステップを描くフローチャートである。
【図４Ａ】本発明の好適実施形態による信号処理装置を示す概略図である。
【図４Ｂ】本発明の好適実施形態によるポストプロセッサを示す概略図である。
【図５】本発明の信号処理装置によって発生する差動増幅信号を示す概略図である。
【図６Ａ】オーバーサンプリングをしない信号を示す概略図である。
【図６Ｂ】本発明の信号処理装置によるオーバーサンプリングを示す。
【図７】本発明の慣性位置決め装置を示す概略図である。
【図８】本発明の信号処理方法及び従来の技術の方法の結果を示す表である。
【図１】
2008123485.tif 000003
【図２】
2008123485.tif 000004
【図３Ａ】
2008123485.tif 000005
【図３Ｂ】
2008123485.tif 000006
【図４Ａ】
2008123485.tif 000007
【図４Ｂ】
2008123485.tif 000008
【図５】
2008123485.tif 000009
【図６Ａ】
2008123485.tif 000010
【図６Ｂ】
2008123485.tif 000011
【図７】
2008123485.tif 000012
【図８】
2008123485.tif 000013